(57)【要約】【課題】既存サッシ枠に何らかの変形があっても、新たなカバー枠を正規位置に確実かつ容易に設置可能なサッシカバー構造を提供する。【解決手段】サッシカバー構造１０００は連結枠３００を介して既存枠１００にカバー枠２００が設置されるもので、開口部８００の上部において、連結上枠３００ａの連結上枠既存部分３１０ａに形成された径大孔３１５をビス５０が貫通し、既存上枠１００ａの既存上枠内部分１２０ａに形成されていたビス孔にビス５０が設置され、カバー上枠外部分２４０ａに形成された径大孔２４５をビス５０が貫通し、既存上枠外部分１４０ａに形成されていたビス孔１４５にビス５０が設置され、カバー上枠２００ａのカバー上枠ひれ部分２１０ａに形成された皿孔を貫通したドリルビス６０が、連結上枠３００ａの連結上枠カバー部分３２０ａに貫通孔を形成しながら設置されている。【選択図】図１
2019085805.tif 000002
【特許請求の範囲】
【請求項１】
建造物の内部と外部とを連通する開口部に固定された既存サッシ枠と、前記既存サッシ枠に連結枠を介して設置されたカバー枠とを有するサッシカバー構造であって、
前記開口部は、額縁木材および額縁内コーキングからなる矩形状の額縁を具備し、
前記既存サッシ枠は、内部寄りに配置され前記額縁木材に設置された既存枠内部分と、外部寄りに配置された既存枠外部分と、前記既存枠内部分と前記既存枠外部分とを連結する既存枠中部分とを具備し、
前記カバー枠は、内部寄りに配置されたカバー枠内部分と、外部寄りに配置されたカバー枠外部分と、前記カバー枠内部分と前記カバー枠外部分とを連結するカバー枠中部分と、前記カバー枠内部分に設けられ内部方向に突出したカバー枠ひれ部分とを具備し、
前記連結枠は、前記既存枠内部分にビスによって連結された連結枠既存部分と、前記カバー枠ひれ部分にドリルビスによって連結された連結枠カバー部分と、前記額縁木材に平行な連結枠平行部分と、前記額縁木材に垂直な連結枠垂直部分とを一体的に具備することを特徴とするサッシカバー構造。
【請求項２】
前記ビスは前記連結枠既存部分に形成された径大孔を貫通して、前記既存枠内部分に形成されたビス孔に設置され、前記ドリルビスは前記カバー枠ひれ部分に形成された皿孔を貫通して、前記連結枠カバー部分に貫通孔を形成しながら設置されることを特徴とする請求項１記載のサッシカバー構造。
【請求項３】
前記カバー枠ひれ部分にカバー枠ひれ部分フランジが設けられ、前記カバー枠ひれ部分フランジが前記連結枠カバー部分に当接し、
前記連結枠カバー部分に連結枠カバー部分フランジが設けられ、前記連結枠カバー部分フランジが前記カバー枠ひれ部分に当接し、
前記カバー枠ひれ部分と前記連結枠カバー部分とによって形成された隙間に前記皿孔の形成に伴うバリが収容されていることを特徴とする請求項２記載のサッシカバー構造。
【請求項４】
前記連結枠カバー部分の内部寄り端部と前記連結枠平行部分とが連結枠段差部分によって連結され、前記連結枠カバー部分の内部寄りの一部と前記連結枠平行部分の外部寄りの一部と前記連結枠段差部分とによって形成された連結枠溝部分に、前記カバー枠ひれ部分の内部寄りの一部が浸入することを特徴とする請求項３記載のサッシカバー構造。
【請求項５】
前記既存枠内部分に断面Ｌ字状の既設枠嵩上げ部分が連結され、前記既設枠嵩上げ部分は前記既存枠内部分に略同一な面と前記額縁木材の面に略同一な面とを具備することを特徴とする請求項１乃至４の何れか一項に記載のサッシカバー構造。
【発明の詳細な説明】
【技術分野】
【０００１】
本発明はサッシカバー構造、特に、建造物の開口部に固定された既存サッシ枠と該既存サッシ枠に設置されたカバー枠とを具備するサッシカバー構造に関する。
【背景技術】
【０００２】
従来、建造物の開口部に設置されていたサッシは、破損や老朽化等によって新規サッシに取り換える必要が生じる場合がある。かかる取り替え作業が開口部の周囲を壊すような大掛かりなものになるのを防止するため、サッシを開口部に固定される支持枠（以下「既存サッシ枠」と称す）と、既存サッシ枠に着脱される窓枠（以下「カバー枠」と称す）とによって構成し、両者をビスによって接合する発明が開示されている（例えば、特許文献１、２参照）。
【先行技術文献】
【特許文献】
【０００３】
【特許文献１】特開平１１−１１７６１４号公報（第３−６頁、図１）
【特許文献２】特開２００１−８２０３１号公報（第３−４頁、図１）
【発明の概要】
【発明が解決しようとする課題】
【０００４】
特許文献１に開示された発明（改装サッシ）は、既存サッシ枠に新たなカバー枠を室外側から室内側に向けて圧入して、圧入状態で既存サッシ枠に新たなカバー枠をビス止めするものである。このため、カバー枠を交換する際、既存サッシ枠の周囲を壊す必要がなくなると共に、圧入によって位置決めされた新たなカバー枠は倒れないことから、ビス止めの前後において支える必要がなくなり、交換作業が容易になるとしている。
また、特許文献２に開示された発明（リフォーム用サッシ枠）は、リフォーム用サッシ枠に周囲方向に突出した固定部が形成され、一方、既存サッシ枠に外壁に沿って突出したフランジが形成され、リフォーム用サッシ枠が既存サッシ枠の内部に挿入された状態で、リフォーム用サッシ枠の固定部が既存サッシ枠のフランジにネジ固定されるものである。
このため、リフォーム用サッシ枠を設置する際、既存サッシ枠の周囲を壊す必要がなくなり、交換作業が容易になるとしている。
【０００５】
しかしながら、通常、既存サッシ枠は使用によって何らかの変形をしているため以下のような問題がある。
すなわち、特許文献１に開示された発明では、既存サッシ枠の一部と新たなカバー枠の一部とが干渉して圧入が困難になったり、摺動して過大な力を必要とする過酷な作業になったりする。このため、既存サッシ枠の経年変形を見込んで、既存サッシ枠とカバー枠との間に隙間ができるようにしたのでは、既存カバー枠や新たなカバー枠を所定の位置に確実に設置することができないだけでなく、所定の圧入が得られずに作業性が悪化することになる。
また、特許文献２に開示された発明では、既存サッシ枠のフランジに形成されたネジ孔が正規位置から外れて、既存サッシ枠のネジ孔とカバー枠のネジ孔とが一致しなくなり、ネジ固定が困難になる。
【０００６】
本発明は、前記問題に鑑みてなされたものであり、既存サッシ枠に何らかの変形がある場合であっても、新たなカバー枠を正規位置に確実かつ容易に設置することができるサッシカバー構造を提供することにある。
【課題を解決するための手段】
【０００７】
（１）本発明に係るサッシカバー構造は、建造物の内部と外部とを連通する開口部に固定された既存サッシ枠と、前記既存サッシ枠に連結枠を介して設置されたカバー枠とを有するサッシカバー構造であって、
前記開口部は、額縁木材および額縁内コーキングからなる矩形状の額縁を具備し、
前記既存サッシ枠は、内部寄りに配置され前記額縁木材に設置された既存枠内部分と、外部寄りに配置された既存枠外部分と、前記既存枠内部分と前記既存枠外部分とを連結する既存枠中部分とを具備し、
前記カバー枠は、内部寄りに配置されたカバー枠内部分と、外部寄りに配置されたカバー枠外部分と、前記カバー枠内部分と前記カバー枠外部分とを連結するカバー枠中部分と、前記カバー枠内部分に設けられ内部方向に突出したカバー枠ひれ部分とを具備し、
前記連結枠は、前記既存枠内部分にビスによって連結された連結枠既存部分と、前記カバー枠ひれ部分にドリルビスによって連結された連結枠カバー部分と、前記額縁木材に平行な連結枠平行部分と、前記額縁木材に垂直な連結枠垂直部分とを一体的に具備することを特徴とする。
（２）また、前記ビスは前記連結枠既存部分に形成された径大孔を貫通して、前記既存枠内部分に形成されたビス孔に設置され、前記ドリルビスは前記カバー枠ひれ部分に形成された皿孔を貫通して、前記連結枠カバー部分に貫通孔を形成しながら設置されることを特徴とする。
（３）また、前記カバー枠ひれ部分にカバー枠ひれ部分フランジが設けられ、前記カバー枠ひれ部分フランジが前記連結枠カバー部分に当接し、前記連結枠カバー部分に連結枠カバー部分フランジが設けられ、前記連結枠カバー部分フランジが前記カバー枠ひれ部分に当接し、前記カバー枠ひれ部分と前記連結枠カバー部分とによって形成された隙間に前記皿孔の形成に伴うバリが収容されていることを特徴とする。
（４）また、前記連結枠カバー部分の内部寄り端部と前記連結枠平行部分とが連結枠段差部分によって連結され、前記連結枠カバー部分の内部寄りの一部と前記連結枠平行部分の外部寄りの一部と前記連結枠段差部分とによって形成された連結枠溝部分に、前記カバー枠ひれ部分の内部寄りの一部が浸入することを特徴とする。
（５）また、前記既存枠内部分に断面Ｌ字状の既設枠嵩上げ部分が連結され、前記既設枠嵩上げ部分は前記既存枠内部分に略同一な面と前記額縁木材の面に略同一な面とを具備することを特徴とする。
【発明の効果】
【０００８】
本発明に係るサッシカバー構造は、連結枠が既存枠内部分にビスによって連結された連結枠既存部分と、カバー枠ひれ部分にドリルビスによって連結された連結枠カバー部分と、額縁木材にそれぞれ平行および垂直な連結枠平行部分および連結枠垂直部分とを具備するから、連結枠が簡素な構造であると共に、連結が容易な講造である。
特に、径大孔を貫通するビスと貫通孔を形成しながら設置されるドリルビスとによって連結されるから、既存枠が変形した場合でも、カバー枠を正規位置に設置することができる。さらに、カバー枠ひれ部分と連結枠カバー部分との間に隙間が形成されるから、皿孔に設置されたドリルビスの頭面がカバー枠ひれ部分の面から突出することがなく、開口部におおける美観が保証される。
よって、既存枠のゆがみを吸収してカバー枠を正規位置に容易に設置することができると共に、部材構成の簡素化および部材点数の減少によるコストダウンや施工の簡素化による施工時間の短縮が可能になる。
【図面の簡単な説明】
【０００９】
【図１】本発明の実施の形態１に係るサッシカバー構造を示す側面視の断面図である。
【図２】本発明の実施の形態１に係るサッシカバー構造を示す平面視の断面図である。
【図３】本発明の実施の形態１に係るサッシカバー構造の一部（上部）を拡大して示す側面視の断面図である。
【図４】本発明の実施の形態１に係るサッシカバー構造の一部（下部）を拡大して示す側面視の断面図である。
【図５】本発明の実施の形態１に係るサッシカバー構造の一部（左部）を拡大して示す平面視の断面図である。
【図６】本発明の実施の形態２に係るサッシカバー構造の一部（下部）を拡大して示す側面視の断面図である。
【発明を実施するための形態】
【００１０】
以下、発明を実施するための形態（以下、「実施の形態１、２」という）を、図面を参照しつつ説明する。なお、各図は模式的に描かれたものであって、本発明は図示された形態（部位の形状や個数等）に限定されるものではない。また、図面が煩雑にならないようにするため、一部の部分または一部の符号の記載を省略する場合がある。
【００１１】
［実施の形態１］
図１〜図５は本発明の実施の形態１に係るサッシカバー構造を説明するものであって、図１はサッシカバー構造を示す側面視の断面図、図２はサッシカバー構造を示す平面視の断面図、図３は図１の一部（上部）を拡大して示す側面視の断面図、図４は図１の一部（下部）を拡大して示す側面視の断面図、図５は図２の一部（左部）を拡大して示す平面視の断面図である。
【００１２】
（サッシカバー構造）
図１および図２において、サッシカバー構造１０００は、建造物（図示しない）の外部と内部とを連通する開口部８００に固定された既存サッシ枠（以下「既存枠」と称す）１００と、既存枠１００に連結枠３００を介して設置されたカバー枠２００とを有する。
以下説明の便宜上、建造物の外内方向を「平行方向」と外内方向に垂直な方向を「垂直方向」とそれぞれ称し、外部から内部の方向を「Ｘ方向」、室内から外側を見た際の左から右の方向を「Ｙ方向」、垂直方向の下から上の方向を「Ｚ方向」とする。
また、上寄り（上部）、下寄り（下部）、左寄り（左部）および右寄り（右部）に配置される部材についてはそれぞれ、部材の名称に「上（または上部分）、下（または下部分）、左（または左部分）および右（または右部分）」を付し、部材の符号に添え字「ａ、ｂ、ｃおよびｄ」を付記する。そして、同等の構成については適宜読み替えるものとして、説明を一部省略する。
【００１３】
（額縁）
開口部８００は、矩形状の額縁７００と、額縁木材７１０と連結枠３００との間に配置された額縁内コーキング７３０とによって包囲されている。そして、額縁木材７１０は、対向した上縁および下縁を形成する額縁上木材７１０ａおよび額縁下木材７１０ｂと、左右の縁を形成する額縁左木材７１０ｃおよび額縁右木材７１０ｄとによって構成され、同様に、額縁内コーキング７３０は、額縁内コーキング上部分７３０ａと額縁内コーキング下部分７３０ｂと額縁内コーキング左部分７３０ｃと額縁内コーキング右部分７３０ｄとによって構成されている。
すなわち、額縁７００は、上下に対向配置された額縁上枠７００ａ（額縁上木材７１０ａおよび額縁内コーキング上部分７３０ａを具備する）および額縁下枠７００ｂ（額縁下木材７１０ｂおよび額縁内コーキング下部分７３０ｂを具備する）と、左右に対向配置された額縁左枠７００ｃ（額縁左木材７１０ｃおよび額縁内コーキング左部分７３０ｃを具備する）および額縁右枠７００ｄ（額縁右木材７１０ｄおよび額縁内コーキング右部分７３０ｄを具備する）とによって構成されている。
さらに、同様に、額縁外コーキング７２０は、額縁外コーキング上部分７２０ａおよび額縁外コーキング下部分７２０ｂと、額縁外コーキング左部分７２０ｃおよび額縁外コーキング右部分７２０ｄとによって構成されている。
【００１４】
（既存枠、カバー枠、連結枠）
既存枠１００は、上下に対向配置された既存上枠１００ａおよび既存下枠１００ｂと、左右に対向配置された既存左枠１００ｃおよび既存右枠１００ｄとを具備する。
カバー枠２００は、上下に対向配置されたカバー上枠２００ａおよびカバー下枠２００ｂと、左右に対向配置されたカバー左枠２００ｃおよびカバー右枠２００ｄとを具備する。
連結枠３００は、上下に対向配置された連結上枠３００ａおよび連結下枠３００ｂと、左右に対向配置された連結左枠３００ｃおよび連結右枠３００ｄとを具備する。
以下、既存上枠１００ａ、カバー上枠２００ａおよび連結上枠３００ａについて順番に説明する。
【００１５】
（既存上枠）
既存上枠１００ａは、側面視（Ｘ-Ｚ断面）において断面略Ｈ字状部分を具備する押し出し成形材であって、内部寄りに配置された垂直面（Ｙ―Ｚ面）に平行な既存上枠内部分１２０ａおよび外部寄りに配置された垂直面（Ｙ―Ｚ面）に平行な既存上枠外部分１４０ａと、既存上枠内部分１２０ａと既存上枠外部分１４０ａとを連結する平行面（Ｘ−Ｙ面）に平行な既存上枠中央部分１３０ａとを具備する。
また、既存上枠内部分１２０ａおよび既存上枠外部分１４０ａにはそれぞれ、ビス５０が設置されるビス孔１２５およびビス孔１４５が形成され、既存上枠中央部分１３０ａには、下方向（−Ｚ方向）に突出した断面略Ｊ字状の補剛部分１３１ａが設けられている。
そして、既存上枠内部分１２０ａは、別体である断面Ｌ字の既存枠上アングル１１０ａを介して額縁上木材７１０ａに固定されている。なお、既存上枠内部分１２０ａと既存枠上アングル１１０ａとが一体成形されてもよい。
【００１６】
（カバー上枠）
カバー上枠２００ａは、側面視（Ｘ-Ｚ断面）において断面略Ｈ字状部分を具備する押し出し成形材であって、内部寄りに配置された垂直面（Ｙ―Ｚ面）に平行なカバー上枠内部分２２０ａおよび外部寄りに配置されたカバー上枠外部分２４０ａと、カバー上枠内部分２２０ａとカバー上枠外部分２４０ａとを連結する平行面（Ｘ−Ｙ面）に平行なカバー上枠中央部分２３０ａとを具備する。
また、カバー上枠内部分２２０ａには内部方向（Ｘ方向）に突出して平行面（Ｘ−Ｙ面）に平行なカバー上枠ひれ部分２１０ａが設けられ、カバー上枠ひれ部分２１０ａの先端には上向き（Ｚ方向）に突出したカバー上枠ひれ部フランジ２１１ａが形成されている。
また、カバー上枠中央部分２３０ａには、それぞれ下方向（−Ｚ方向）に突出して垂直面（Ｙ−Ｚ面）に平行なカバー上枠内レール２３１ａおよびカバー上枠外レール２３２ａが設けられている。
さらに、カバー上枠外部分２４０ａの上方向（Ｚ方向）の先端範囲は断面Ｌ字状に屈曲され、垂直面（Ｙ−Ｚ面）に平行な範囲にビス５０が貫通する径大孔（所謂「バカ孔」に同じ）２４５が形成されている。
【００１７】
（連結上枠）
連結上枠３００ａは押し出し成形された一体物であって、既存上枠内部分１２０ａにビス５０によって連結される連結上枠既存部分３１０ａと、カバー上枠ひれ部分２１０ａにドリルビス６０によって連結される連結上枠カバー部分３２０ａと、それぞれ額縁上木材７１０ａに平行な連結上枠隠れ部分３９０ａおよび連結上枠平行部分３８０ａと、連結上枠隠れ部分３９０ａと連結上枠平行部分３８０ａとを連結し、額縁上木材７１０ａに垂直な連結上枠垂直部分３７０ａとを具備する。
すなわち、連結上枠既存部分３１０ａと連結上枠カバー部分３２０ａとが略Ｔ字状に配置され、連結上枠カバー部分３２０ａの内部寄りの端部が連結上枠段差部分３４０ａによって連結上枠平行部分３８０ａに連結されている。したがって、連結上枠カバー部分３２０ａの一部、連結上枠既存部分３１０ａ、連結上枠隠れ部分３９０ａ、連結上枠垂直部分３７０ａ、連結上枠平行部分３８０ａおよび連結上枠段差部分３４０ａによって断面略矩形の筒状の空間が形成されている。
そして、連結上枠既存部分３１０ａには、ビス５０が貫通する径大孔（所謂「バカ孔」に同じ）３１５が形成され、連結上枠カバー部分３２０ａの外部寄りの縁には、下方向（−Ｚ方向）に突出した連結上枠内フランジ３２１ａが設けられている。
さらに、連結上枠カバー部分３２０ａの内部寄りの一部、連結上枠段差部分３４０ａおよび連結上枠平行部分３８０ａの外部寄りの一部によって連結上枠溝部分３３０ａが形成され、連結上枠溝部分３３０ａにカバー上枠ひれ部分２１０ａの内部寄りの一部（カバー上枠ひれ部フランジ２１１ａを含んでいる）が収容されている。
【００１８】
（上部における連結構造）
図１および図３に基づいて上部における連結講造を説明する。カバー上枠２００ａは連結上枠３００ａを介して既存上枠１００ａに接合されている。すなわち、連結上枠３００ａの連結上枠既存部分３１０ａに形成された径大孔（所謂「バカ孔」に同じ）３１５をビス５０が貫通し、既存上枠１００ａの既存上枠内部分１２０ａに形成されていたビス孔１２５にビス５０が設置されている。同様に、カバー上枠外部分２４０ａに形成された径大孔２４５をビス５０が貫通し、既存上枠外部分１４０ａに形成されていたビス孔１４５にビス５０が設置されている。
また、カバー上枠２００ａのカバー上枠ひれ部分２１０ａに形成された皿孔２１６を貫通したドリルビス（「テックス」に同じ）６０が、連結上枠３００ａの連結上枠カバー部分３２０ａに貫通孔を形成しながら設置されている。
このとき、カバー上枠ひれ部フランジ２１１ａの上端面は連結上枠カバー部分３２０ａの下面に当接し、連結上枠外フランジ３２２ａの下端面がカバー上枠ひれ部分２１０ａの上面に当接し、連結上枠カバー部分３２０ａとカバー上枠ひれ部分２１０ａとの隙間に、皿孔２１６を形成する際に生じたバリ（図示しない）が収容されている。
なお、ドリルビス６０は円錐台状の頭部を具備しているため、かかる頭部は円錐台状の皿孔２１６に侵入して、頭部の平坦面はカバー上枠ひれ部分２１０ａの面と略同一面に位置し、頭部の円錐面の一部は前記隙間に収容されている。
【００１９】
（上部における連結要領）
図１および図３に基づいて上部における連結要領を説明する。まず、カバー上枠外部分２４０ａを正規の位置に配置する。すなわち、額縁外コーキング上部分７２０ａが設置されていない状態で、カバー上枠外部分２４０ａに形成された径大孔２４５にビス５０を貫通して、既存上枠外部分１４０ａに形成されていたビス孔１４５にビス５０を設置する。
このとき、ビス５０は径大孔２４５を貫通するから、既存枠１００（既存上枠１００ａ、特に既存上枠外部分１４０ａ）の変形によってビス孔１４５の位置が偏位している場合であっても、カバー上枠外部分２４０ａを正規位置に配置した状態で、ビス５０を設置することができる。
次に、連結上枠３００ａを既存上枠１００ａに設置する。すなわち、連結上枠カバー部分３２０ａが正規の位置（特に、上下方向の正規位置）になるように、連結上枠既存部分３１０ａを既存上枠内部分１２０ａに連結する。このとき、額縁内コーキング上部分７３０ａが設置されていない状態で、ビス５０は径大孔３１５を貫通するから、既存枠１００（既存上枠１００ａ、特に既存上枠内部分１２０ａ）の変形によってビス孔１２５の位置が偏位している場合であっても、連結上枠既存部分３１０ａを正規の位置に配置した状態で、ビス５０を設置することができる。
【００２０】
さらに、カバー上枠２００ａと連結上枠３００ａとを連結する。すなわち、カバー上枠２００ａを正規位置（特に、水平方向の正規位置）に配置した状態で、カバー上枠ひれ部分２１０ａに形成された皿孔２１６にドリルビス６０を挿入して、ドリルビス６０でもって連結上枠カバー部分３２０ａに貫通孔を形成しながら、ドリルビス６０を設置する。
したがって、既存枠１００の変形によってカバー上枠ひれ部分２１０ａの位置（特に、水平方向の位置）が偏位している場合であっても、カバー上枠２００ａを正規位置に配置した状態で、ドリルビス６０を設置することができる。
このとき、カバー上枠ひれ部分２１０ａの内部寄りの一部（カバー上枠ひれ部フランジ２１１ａを含んでいる）が連結上枠溝部分３３０ａに収容され、カバー上枠ひれ部分２１０ａは連結上枠平行部分３８０ａと略同一面（正確には、連結上枠平行部分３８０ａの板厚分の僅かの段差を介して形成された平行面）を形成している。
そして、額縁外コーキング上部分７２０ａおよび額縁内コーキング上部分７３０ａを設置する。
なお、連結する順番は前記に限定するものではなく、たとえば、連結上枠３００ａを既存上枠１００ａに設置した後、カバー上枠２００ａを既存上枠１００ａに設置して、最後に連結上枠３００ａとカバー上枠２００ａとを連結してもよい。
【００２１】
（下部における連結構造）
次に、図１および図４に基づいて下部における連結講造を説明する。下部における連結構造を形成する額縁下枠７００ｂ、既存下枠１００ｂ、カバー下枠２００ｂおよび連結下枠３００ｂの講造はそれぞれ、既存上枠１００ａ、カバー上枠２００ａおよび連結上枠３００ａの講造に基本的に同じである。したがって、下部における連結構造については、上部における部材名称を修飾する「上」を「下」に、符号の添え字「ａ」を「ｂ」に読み替え、同一の内容についての説明を省略し、僅かな相違について以下に説明する。
【００２２】
既存下枠１００ｂは、既存下枠中央部分１３０ｂが外部になるほど低くなるように形成されている。
カバー下枠２００ｂは外部になるほど低くなるように階段状に形成され、カバー下枠内部分２２０ｂの上縁（最も高い位置）にカバー下枠ひれ部分２１０ｂが設けられ、カバー下枠中央部分２３０ｂには、それぞれ上方向（＋Ｚ方向）に突出して垂直面（Ｙ−Ｚ面）に平行なカバー下枠内レール２３１ｂおよびカバー下枠外レール２３２ｂが設けられている。さらに、カバー下枠外部分２４０ｂに、断面矩形状の筒体である外みきり２５０が一体的に形成され、外みきり２５０の下方に径大孔２４５が形成されている。
連結下枠３００ｂは、連結下枠隠れ部分３９０ｂが、連結下枠既存部分３１０ｂから離れているため、連結下枠既存部分３１０ｂ、連結下枠カバー部分３２０ｂの一部、連結下枠段差部分３４０ｂ、連結下枠平行部分３８０ｂ、連結下枠垂直部分３７０ｂおよび連結下枠隠れ部分３９０ｂによって断面略矩形の溝が形成されている。
【００２３】
（下部における連結要領）
前記のように、下部における各部材の構造と上部における各部材の構造とは基本的に同じであるため、下部における連結要領は上部における連結要領に同じであるから、説明を省略する。
【００２４】
（左部および右部における連結構造）
次に、図２および図５に基づいて左部における連結要領を説明する。左部における連結構造を構成する額縁左枠７００ｃ、既存左枠１００ｃ、カバー左枠２００ｃおよび連結左枠３００ｃはそれぞれ、既存上枠１００ａ、カバー上枠２００ａおよび連結上枠３００ａに基本的に同じ構造である。したがって、左部における連結構造については、上部における部材名称を修飾する「上」を「左」に、符号の添え字「ａ」を「ｃ」に読み替え、同一の内容についての説明を省略し、僅かな相違について以下に説明する。
すなわち、カバー左枠２００ｃのカバー下枠中央部分２３０ｂには、それぞれ右方向（＋Ｙ方向）に突出して垂直面（Ｙ−Ｚ面）に平行なカバー左枠内レール２３１ｃおよびカバー左枠外レール２３２ｃが設けられている。
また、右部における連結構造は左部における連結構造と面対象になっている。すなわち、右部における連結構造については、左部における部材名称を修飾する「左」を「右」に、符号の添え字「ｃ」を「ｄ」に読み替えたものに同じであるから、説明を省略する。
【００２５】
（左部および右部における連結要領）
前記のように、左部おける連結構造と上部における連結構造とは基本的に同じであるため、左部における連結要領は上部における連結要領に同じであるから、説明を省略する。
また、右部における連結構造は左部における連結構造と面対象であるため、右部における連結要領は左部における連結要領に同じであるから、説明を省略する。
【００２６】
（作用効果）
以上のように、サッシカバー構造１０００を形成する連結枠３００が、既存枠内部分１２０にビス５０によって連結された連結枠既存部分３１０と、カバー枠ひれ部分２１０にドリルビス６０によって連結された連結枠カバー部分３２０と、額縁木材７１０にそれぞれ平行および垂直な連結枠平行部分３８０および連結枠垂直部分３７０とを具備するから、連結枠３００は簡素な構造である。特に、連結枠３００は、径大孔２４５を貫通するビス５０と貫通孔を形成しながら設置されるドリルビス６０とによって連結されるから、既存枠１００が変形した場合でも、カバー枠２００を正規位置に容易かつ確実に設置することができる。
さらに、カバー枠ひれ部分２１０と連結枠カバー部分３２０との間に隙間が形成されるから、皿孔２１６に設置されたドリルビス６０の頭部の平坦面がカバー枠ひれ部分２１０の面から突出することがないため、開口部８０における美観が保証される。
よって、既存枠１００のゆがみの調整と共に、部材構成の簡素化および部材点数の減少によるコストダウンと、施工の簡素化による施工時間の短縮とが可能になる。また、合わせて、美観も保証される。
【００２７】
なお、以上、上部、下部、左部および右部における連結要領を順番に説明したが、連結する順番は限定されるものではなく、どの部位を先に連結してもよい。たとえば、連結枠３００の連結枠既存部分３１０を既存枠内部分１２０に連結した後、カバー枠２００のカバー枠外部分２４０に連結して、最後に、カバー枠ひれ部分２１０と連結枠カバー部分３２０とを連結してもよいし、それぞれにおいて上下左右のどちらを先に連結してもよい。
【００２８】
［実施の形態２］
図６は本発明の実施の形態２に係るサッシカバー構造を説明するものであって、一部（下部）を拡大して示す側面視の断面図である。なお、実施の形態１と同じ部分または相当する部分には同じ名称および符号を付し、説明の一部を省略する。
【００２９】
図６において、サッシカバー構造２０００を構成する既存下枠１００ｂは、既存下枠内部分１２０ｂの上端が額縁下木材７１０ｂの上面と同じ高さになっている点が、実施の形態１におけるサッシカバー構造１０００と相違し、これを除く部分はサッシカバー構造１０００に同じである。すなわち、サッシカバー構造１０００の既存下枠内部分１２０ｂが「腰高」であるのに対し、サッシカバー構造２０００の既存下枠内部分１２０ｂが「吐き出し」である。
【００３０】
そして、既存下枠内部分１２０ｂの上に断面Ｌ字状の既設枠嵩上げ部分１５０が設置されている。すなわち、既設枠嵩上げ部分１５０の一方の面が、既存下枠内部分１２０ｂに連結された既存枠下アングル１１０ｂに当接してビス５０によって連結され、額縁下木材７１０ｂの上面に略同一の面に配置されている。
また、既設枠嵩上げ部分１５０の一方の面は、既存下枠内部分１２０ｂと略同一面に配置され、連結下枠既存部分３１０ｂに当接している。すなわち、連結下枠既存部分３１０ｂに設けられた径大孔３１５を貫通したビス５０が、既設枠嵩上げ部分１５０に設けられたビス孔１２５に設置されている。
【００３１】
（連結要領）
前記のように、サッシカバー構造２０００は、実施の形態１のサッシカバー構造１０００における既存下枠内部分１２０ｂを実質的に２部材によって構成しただけであるから、サッシカバー構造１０００と同様の連結要領によって連結される。よって、サッシカバー構造２０００はサッシカバー構造１０００と同じ作用効果を奏する。
【００３２】
以上、本発明を実施の形態１、２をもとに説明した。この実施の形態１、２は例示であり、それらの各構成要素及びその組合せにいろいろな変形例が可能なこと、またそうした変形例も本発明の範囲にあることは当業者に理解されるところである。
【産業上の利用可能性】
【００３３】
本発明は以上であるから、新設またはリフォームの様々な建築物における各種サッシカバー構造およびその施工方法として広く利用することができる。
【符号の説明】
【００３４】
５０：ビス
６０：ドリルビス
１００：既存枠
１１０：既存枠アングル
１２０：既存枠内部分
１２５：ビス孔
１３０：既存枠中央部分
１３１：補剛部分
１４０：既存枠外部分
１４５：ビス孔
１５０：既設枠嵩上げ部分
２００：カバー枠
２１０：カバー枠ひれ部分
２１１：カバー枠ひれ部フランジ
２１６：皿孔
２２０：カバー枠内部分
２３０：カバー枠中央部分
２３１：カバー枠内レール
２３２：カバー枠外レール
２４０：カバー枠外部分
２４５：径大孔
２５０：外みきり
３００：連結枠
３１０：連結枠既存部分
３１５：径大孔
３２０：連結枠カバー部分
３２１：連結枠内フランジ
３２２：連結枠外フランジ
３３０：連結枠溝部分
３４０：連結枠段差部分
３７０：連結枠垂直部分
３８０：連結枠平行部分
３９０：連結枠隠れ部分
７００：額縁
７１０：額縁木材
７２０：額縁外コーキング
７３０：額縁内コーキング
８００：開口部
１０００：サッシカバー構造（実施の形態１）
２０００：サッシカバー構造（実施の形態２）
【図１】
2019085805.tif 000003
【図２】
2019085805.tif 000004
【図３】
2019085805.tif 000005
【図４】
2019085805.tif 000006
【図５】
2019085805.tif 000007
【図６】
2019085805.tif 000008